【手続補正書】
【提出日】平成29年8月4日(2017.8.4)
【手続補正１】
【補正対象書類名】明細書
【補正対象項目名】０００８
【補正方法】変更
【補正の内容】
【０００８】
上記技術的課題を解決するため、本発明のエレベータ用保守端末装置システムの基本構成は、建物に設備されるエレベータの制御を行うエレベータ制御装置と、前記エレベータ制御装置と接続されて前記エレベータの運転状態を監視して異常を検出する監視装置と、前記監視装置と通信回線を介して接続され、前記エレベータの運転状態を監視して異常を検出する監視センタと、保守作業を行う作業者が携帯し、前記エレベータ制御装置及び前記監視装置の少なくとも一方に接続され、当該エレベータ制御装置に対する走行指令信号を含む指令信号を出力可能な保守端末装置と、を備えたエレベータ用保守端末装置システムにおいて、前記保守端末装置は、少なくとも自装置についての製造番号、及び貸与した前記作業者の情報を含む保守端末装置情報を格納する保守端末データ格納部を備え、前記監視装置は、前記保守端末装置が前記エレベータ制御装置及び当該監視装置の少なくとも一方に接続された装着状態を検出すると、前記保守端末データ格納部から取得した前記保守端末装置情報と、前記エレベータについての製造番号を含むエレベータ情報とを前記監視センタへ送信するセンタ通信確認部と、を備え、前記監視センタは、前記保守端末装置情報及び前記エレベータ情報を受信すると、保守作業計画に必要な保守作業計画データ中で前記エレベータについての前記製造番号に該当するエレベータに関する保守作業予定が有って、前記保守端末装置についての製造番号、貸与された前記作業者の情報を含む保守端末装置データ中で前記保守端末装置についての前記製造番号に該当する保守端末装置に関する貸与されている前記作業者が当該エレベータに係る当該製造番号に該当するエレベータ作業に割り付けられている場合に、前記通信回線を介して前記監視装置及び当該保守端末装置に対して接続許可の発行とする接続許可信号を送信する接続権限発行部と、を備え、更に、前記監視装置は、前記保守端末装置から送信される信号に対する前記接続許可信号の付加状態を確認した結果に応じて、付加が有れば信号受け付けを有効、付加が無ければ信号受け付けを無効として判定する制御装置通信確認部を備えたことを特徴とする。
【手続補正２】
【補正対象書類名】明細書
【補正対象項目名】００１７
【補正方法】変更
【補正の内容】
【００１７】
監視センタ１は、各部への制御や指令、情報検索を行う制御部１Ａと、制御部１Ａと接続されて通信回線１０を介して監視装置３の通信部３Ｄとの間で各種情報を送受信する通信部１Ｂと、制御部１Ａと接続されてエレベータについての保守契約を締結している顧客名称、建物９の名称、建物９の所在住所、機種、製造番号、号機、保守作業を担当する営業所、作業項目、作業予定日時、作業者の情報（例えば氏名とする）を含む保守作業計画に必要な保守作業計画データを格納する作業計画データ格納部２Ａ、並びに保守端末装置７についての製造番号、配備される営業所、貸与された作業者の氏名を含む保守端末装置データを格納する保守端末装置データ格納部２Ｂを有するデータベース２と、制御部１Ａと接続されて保守端末装置７からの保守端末装置情報及び監視装置３からのエレベータ情報を通信回線１０を経由して受信すると、データベース２の作業計画データ格納部２Ａ及び保守端末装置データ格納部２Ｂを参照し、保守作業計画データ中でエレベータについての製造番号に該当するエレベータに関する保守作業予定の有無、並びに保守端末装置データ中で保守端末装置７についての製造番号に該当する保守端末装置７に関する貸与されている作業者が当該エレベータに係る当該製造番号に該当するエレベータ作業に割り付けられているか否かを判定した結果、保守作業予定が有って、作業者がエレベータに係る製造番号に該当するエレベータ作業に割り付けられている場合に通信回線１０を介して監視装置３及び保守端末装置７に対して接続許可の発行とする接続許可信号を送信する接続権限発行部１Ｃと、接続権限発行部１Ｃによる判定の結果、保守作業予定が無く、作業者がエレベータに係る製造番号に該当するエレベータ作業に割り付けられていない場合に保守端末装置情報及びエレベータ情報を保守作業計画データ及び保守端末装置データに照合させて不一致箇所を識別表示させる画面出力部１Ｄと、を備えている。
【手続補正３】
【補正対象書類名】明細書
【補正対象項目名】００１８
【補正方法】変更
【補正の内容】
【００１８】
この監視センタ１では、保守端末装置７が監視装置３へ接続され、監視装置３から保守端末装置７を特定する固有情報として、例えば保守端末装置７に係る製造番号、並びにエレベータを特定する固有情報として、エレベータに係る製造番号が監視センタ１へ送信されると、接続権限発行部１Ｃがデータベース２の作業計画データ格納部２Ａに格納されているエレベータに係る製造番号を参照し、作業予定日が本日であること、且つ、保守端末装置データ格納部２Ｂに格納されている保守端末装置７に係る製造番号を参照し、合致している保守端末装置７に係る製造番号が存在することを確認し、これらの条件を満たせば保守端末装置７が監視装置３と監視センタ１に関する各種情報の送受信を許可する接続許可信号を制御部１Ａへ出力する。これを受けて制御部１Ａの指令通信機能により通信部１Ｂ及び通信回線１０を介して監視装置３へ接続許可信号を送信し、更に監視装置３の通信部３Ｄから回線１２を介して保守端末装置７の通信部７Ｃへ接続許可信号が送信されることになる。保守端末装置７が接続許可信号を受信すると、監視装置３を介してエレベータ制御装置５との各種情報の送受信を指令する際、指令信号に接続許可信号を付加することにより、各種情報の送受信が可能となる。因みに、ここでは接続権限発行部１Ｃによる接続許可信号の発行条件の１つを保守端末装置７に係る製造番号とエレベータに係る製造番号との合致として説明したが、実際には保守端末装置７やエレベータに係る製造番号に加え、業務を担当する営業所や作業者の氏名、エレベータに係る号機や型式等を加味すれば保守端末装置７の紛失や盗難等に際して第三者の使用を制限できるため、エレベータ制御装置５や監視装置３に対する安全性を向上し得るようになる。
【手続補正４】
【補正対象書類名】明細書
【補正対象項目名】００２０
【補正方法】変更
【補正の内容】
【００２０】
この保守端末装置７では、通信部７Ｃが回線１２を介して監視装置３の通信部３Ｄに対して接続されると、制御部７Ａが監視装置３へ接続信号を送信し、保守端末装置７と監視装置３とが無線通信で締結されると、少なくとも保守端末データ格納部７Ｄに格納されている保守端末装置７に係る製造番号が監視装置３に取り込まれる。また、保守端末装置７では、監視センタ１の接続権限発行部１Ｃから送信される接続許可信号を監視装置３から受信すると、監視装置３の監視データ格納部３Ｅに格納される監視データであるエレベータ情報の読み出しや書き込みを行うと共に、エレベータ制御装置５の制御データ格納部５Ｂに格納される制御データの読み出しや書き込みを行うことが可能となる。即ち、保守端末装置７では、エレベータの走行指令や監視装置３の監視データ格納部３Ｅに格納される監視データに含まれる異常履歴情報の取得、エレベータ制御装置５の制御データ格納部５Ｂに格納される制御データに含まれる制御プログラム等の書き換え等を行うことができる。
【手続補正５】
【補正対象書類名】明細書
【補正対象項目名】００２１
【補正方法】変更
【補正の内容】
【００２１】
実施例に係るエレベータ用保守端末装置システムでは、上述した各部の機能構成により、監視装置３のセンタ通信確認部３Ｂが保守端末装置７による通信部３Ｄに対する接続状態で制御部３Ａの指令により保守端末装置７の保守端末データ格納部７Ｄに格納される自装置についての製造番号、型式、管理を行う営業所、貸与した作業者の氏名等を取得し、監視センタ１へ送信すると共に、監視センタ１から送信された接続許可信号が保守端末装置７に送信される。また、監視装置３の制御装置通信確認部３Ｃが保守端末装置７からエレベータ制御装置５や監視装置３に対する各種情報の送受信に際して、保守端末装置７から送信される取得信号、書き換え信号、及び指令信号に対する接続許可信号の付加を確認した結果、保守端末装置７からの各種信号を受け付けるか否かの有効・無効を判定する。
【手続補正６】
【補正対象書類名】明細書
【補正対象項目名】００２５
【補正方法】変更
【補正の内容】
【００２５】
更に、これを受ける監視センタ１の制御部１Ａでは、監視装置３から送信された保守端末装置情報とエレベータ情報とが通信部１Ｂを介して受信されたか否かを保守端末装置情報、エレベータ情報受信か否かの判定（ステップＳＣ１）により行う。この判定の結果、保守端末装置情報、エレベータ情報受信でなければ、この判定の前に戻って待機する（判定を繰り返す）が、保守端末装置情報、エレベータ情報受信であれば、接続権限発行部１Ｃを起動すると共に、受信された保守端末装置情報とエレベータ情報とに対してデータベース２の作業計画データ格納部２Ａにおける保守作業計画データと保守端末装置データ格納部２Ｂにおける保守端末装置データとを検索する指令を保守作業計画データ、保守端末装置データ検索指令（ステップＳＣ２）として行う。この後、接続権限発行部１Ｃが作業計画データ格納部２Ａの保守作業計画データ中でエレベータについての製造番号に該当するエレベータに関する保守作業予定が本日の作業予定に組み込まれているか、並びに保守端末装置データ格納部２Ｂの保守端末装置データ中で保守端末装置７についての製造番号に該当する保守端末装置７に関する貸与されている作業者がエレベータに係る製造番号に該当するエレベータ作業に割り付けられているか否かの判定を、保守作業予定、保守作業者本日予定に有るか否かの判定（ステップＳＣ３）により行う。この判定の結果、保守作業計画データ中でエレベータについての製造番号に該当するエレベータが本日の保守作業予定に組み込まれ、且つ保守端末装置データ中で作業予定者が営業所の作業者である場合、接続許可信号を制御部１Ａへ送信する接続許可信号出力（ステップＳＣ４）の処理を行った後、接続許可信号を入力した制御部１Ａが通信部３Ｄを起動させて通信回線１０を介して接続許可信号を監視装置３へ送信する接続許可信号送信（ステップＳＣ５）の処理を行ってから監視センタ１での動作処理を終了する。因みに、上述した保守作業予定、保守作業者本日予定に有るか否かの判定（ステップＳＣ３）において、エレベータの作業時間との比較について、当日であれば可（ＯＫ）としたが、当日の作業時間帯を定めておき、その作業時間帯に監視装置３での先の保守端末装置情報、エレベータ情報送信（ステップＳＢ３）の処理で保守端末装置情報とエレベータ情報とが送信されていなければ否（ＮＧ）とするようにしても良い。
【手続補正７】
【補正対象書類名】明細書
【補正対象項目名】００２６
【補正方法】変更
【補正の内容】
【００２６】
ところで、先の保守作業予定、保守作業者本日予定に有るか否かの判定（ステップＳＣ３）の結果、保守作業計画データ中でエレベータについての製造番号に該当するエレベータが本日の保守作業予定に組み込まれておらず、且つ保守端末装置データ中で作業予定者が営業所の作業者でない場合、これらの少なくとも一方が判定されると、接続権限発行部１Ｃは制御部１ＡへＮＧ信号を出力し、これを受けた制御部１Ａは先の保守作業計画データ、保守端末装置データ検索指令（ステップＳＣ２）で検索した建物９の名称、エレベータについての製造番号、号機、型式、営業所、作業者の氏名、保守端末装置７についての製造番号等の対比を行い、保守端末装置情報及びエレベータ情報を保守作業計画データ及び保守端末装置データに照合させて不一致箇所を朱記等で画面出力部１Ｄへ識別表示させる検索結果出力表示（ステップＳＣ６）の処理を行う。これにより、監視センタ１の図示されない監視員に対して作業予定のないエレベータに保守作業が行われる事態や、作業する予定のない作業者が保守作業を行おうとしている事態を明確に知らしめることができる。ここで、保守端末装置７を紛失した場合、保守端末装置７についての製造番号とエレベータについての製造番号との表示内容から不正使用のエレベータを特定することができ、不正利用者を見つけ出すことが可能となる。
【手続補正８】
【補正対象書類名】明細書
【補正対象項目名】００２８
【補正方法】変更
【補正の内容】
【００２８】
ところで、先の監視センタ１から接続許可信号送信（ステップＳＣ５）の処理で接続許可信号が送信される監視装置３では、制御部３Ａが通信回線１０及び通信部３Ｄを介して接続許可信号が受信されたか否かを接続許可信号受信か否かの判定（ステップＳＢ４）により行う。この判定の結果、接続許可信号が受信されていれば、制御部３Ａは制御許可信号を制御装置通信確認部３Ｃに格納すると共に、通信部３Ｄを起動して保守端末装置７へ制御許可信号を送信する制御許可信号送信（ステップＳＢ４）の処理を行う。
【手続補正９】
【補正対象書類名】特許請求の範囲
【補正対象項目名】全文
【補正方法】変更
【補正の内容】
【特許請求の範囲】
【請求項１】
建物に設備されるエレベータの制御を行うエレベータ制御装置と、前記エレベータ制御装置と接続されて前記エレベータの運転状態を監視して異常を検出する監視装置と、前記監視装置と通信回線を介して接続され、前記エレベータの運転状態を監視して異常を検出する監視センタと、保守作業を行う作業者が携帯し、前記エレベータ制御装置及び前記監視装置の少なくとも一方に接続され、当該エレベータ制御装置に対する走行指令信号を含む指令信号を出力可能な保守端末装置と、を備えたエレベータ用保守端末装置システムにおいて、
前記保守端末装置は、少なくとも自装置についての製造番号、及び貸与した前記作業者の情報を含む保守端末装置情報を格納する保守端末データ格納部を備え、
前記監視装置は、前記保守端末装置が前記エレベータ制御装置及び当該監視装置の少なくとも一方に接続された装着状態を検出すると、前記保守端末データ格納部から取得した前記保守端末装置情報と、前記エレベータについての製造番号を含むエレベータ情報とを前記監視センタへ送信するセンタ通信確認部と、を備え、
前記監視センタは、前記保守端末装置情報及び前記エレベータ情報を受信すると、保守作業計画に必要な保守作業計画データ中で前記エレベータについての前記製造番号に該当するエレベータに関する保守作業予定が有って、前記保守端末装置についての製造番号、貸与された前記作業者の情報を含む保守端末装置データ中で前記保守端末装置についての前記製造番号に該当する保守端末装置に関する貸与されている前記作業者が当該エレベータに係る当該製造番号に該当するエレベータ作業に割り付けられている場合に、前記通信回線を介して前記監視装置及び当該保守端末装置に対して接続許可の発行とする接続許可信号を送信する接続権限発行部と、を備え、
更に、前記監視装置は、前記保守端末装置から送信される信号に対する前記接続許可信号の付加状態を確認した結果に応じて、付加が有れば信号受け付けを有効、付加が無ければ信号受け付けを無効として判定する制御装置通信確認部を備えたことを特徴とするエレベータ用保守端末装置システム。
【請求項２】
請求項１記載のエレベータ用保守端末装置システムにおいて、
前記監視センタは、前記接続権限発行部による前記判定の結果、前記保守作業予定が無く、前記作業者が前記エレベータに係る前記製造番号に該当するエレベータ作業に割り付けられていない場合に前記保守端末装置情報及び前記エレベータ情報を前記保守作業計画データ及び前記保守端末装置データに照合させて不一致箇所を識別表示させる画面出力部を備えたことを特徴とするエレベータ用保守端末装置システム。
【手続補正１０】
【補正対象書類名】図面
【補正対象項目名】図２
【補正方法】変更
【補正の内容】
【図２】
2016199393.tif 000001